(57)【要約】【課題】個人が、保護装置とユーザーの頭との間の直接的接触なしに、風や天気からの保護を得ることができる手段を提供する。【解決手段】着用者の頭を保護するためのフード（１０）は、折り畳み可能なフレーム（１４、１６、１８、４４、５０、５２、６４）に取り付けた柔軟な皮膜（１２）からなり、折り畳み可能なフレームは、柔軟な皮膜（１２）が、メーキャップ、整髪、医療器具等との接触を避けるために間隔をあけて、着用者の頭を囲む第一の位置へ展開可能である。折り畳み可能なフレーム（１４、１６、１８、４４、５０、５２、６４）は、折り畳み可能なフレーム（１４、１６、１８、４４、５０、５２、６４）と柔軟な皮膜（１２）とが、着用者の背中に対向して位置する第二の位置への折り畳みが可能である。第二の位置で、折り畳み可能なフレーム（１４、１６、１８、４４、５０、５２、６４）は、さらに安定でリバーシブルな曲折位置に折ることができ、ジッパー・ポケットまたはパウチ（５８）で柔軟な皮膜（１２）と共に保管することができる。フレーム（１４、１６、１８、４４、５０、５２、６４）は、衣服（２４）に、恒久的に、または取り外し可能に付けることができる。フレーム（１４、１６、１８、４４、５０、５２）は、衣服の襟の両側に設けたヒンジ（２０）で回転することができ、柔軟な皮膜（１２）は取り替えることができる。
2006527311.tif 000002
【特許請求の範囲】
【請求項１】
ユーザーの頭を保護するためのフードであって、ユーザーの頭を保護するための柔軟な皮膜と、前記柔軟な皮膜を支持するように作用する折り畳み可能なフレームとからなり、前記柔軟な皮膜が前記折り畳み可能なフレームに取り付けられ、前記折り畳み可能なフレームは、前記折り畳み可能なフレームが、ユーザーの頭の少なくとも一部を囲んでユーザーの頭から離れて配置されるように前記柔軟な皮膜を支持する第一の位置への展開が可能であり、そして、前記折り畳み可能なフレームは、前記折り畳み可能なフレーム及び前記柔軟な皮膜が、前記柔軟な皮膜がユーザーの頭から離れた前記第二の位置へしまい込まれる第二の位置への折り畳みが可能であることを特徴とする、フード。
【請求項２】
前記折り畳み可能なフレームが、衣服の第一の側の襟の前部近くに取り付ける第一のヒンジと、前記衣服の第二の側の襟の前部近くに取り付ける第二のヒンジとからなり、前記折り畳み可能なフレームは、前記第一のヒンジから前記第二のヒンジへ延びる一つ以上のフレーム要素からなり、それらヒンジの回りに回転可能である、請求項１によるフード。
【請求項３】
前記折り畳み可能なフレームが、一つ以上の実質的に堅固なフレーム部材からなり、前記一つ以上の実質的に堅固なフレーム部材が、前記第一の位置と前記第二の位置との間で、前記第一及び第二のヒンジの回りに旋回可能である、請求項１または請求項２によるフード。
【請求項４】
前記一つ以上の実質的に堅固なフレーム部材が、二つ以上の実質的に堅固なフレーム部材からなり、第一の実質的に堅固なフレーム部材が前記ヒンジの回りに旋回可能であり、前記第一の実質的に堅固なフレーム部材が、その両側に、第一及び第二のピボットを備え、第二の、そしてそれ以降の実質的に堅固なフレーム部材が、それらの端部を、前記第一及び第二のピボットの回りに旋回可能に取り付けられる、請求項３によるフード。
【請求項５】
前記折り畳み可能なフレームが、一つ以上の実質的に柔軟な部材からなり、前記一つ以上の実質的に柔軟な部材が、それら自体で、前記折り畳み可能なフレームが広がった第一の安定な形状にある第一の位置から、前記折り畳み可能なフレームがそれ自体でループ化した第二の安定な形状をとる第二の位置へ捩れることが可能な、請求項３によるフード。
【請求項６】
前記一つ以上の実質的に柔軟なフレーム部材が、二つ以上の実質的に柔軟なフレーム部材からなり、第一の実質的に柔軟なフレーム部材が、前記ヒンジの回りに旋回可能であり、前記第一の実質的に柔軟なフレーム部材が、その両側に第一及び第二のピボットを備え、第二の、そしてそれ以降の実質的に柔軟なフレーム部材が、それらの端部で、前記第一及び第二のピボットの回りに旋回可能に取り付けられる、請求項５によるフード。
【請求項７】
前記第一の位置で、ユーザーが衣服を着ているときに前記折り畳み可能なフレームが、ユーザーの頭の頂部、側部及び後部を保護するように前記柔軟な皮膜を支持し、前記第二の位置で、前記折り畳み可能なフレーム及び前記柔軟な皮膜が、前記衣服の裏の、前記襟の後に位置する、前記請求項のいずれかによるフード。
【請求項８】
前記第一の位置で、前記折り畳み可能なフレームが前記柔軟な皮膜を広げるように作用し、前記第二の位置で、前記折り畳み可能なフレームが前記柔軟な皮膜をたたむように作用する、前記請求項のいずれかによるフード。
【請求項９】
取り外し可能に衣服に取り付け可能な、前記請求項のいずれかによるフード。
【請求項１０】
衣服の、恒久的に一体化された一部として設けられる、請求項１から９のいずれかによるフード。
【請求項１１】
前記柔軟な皮膜が、生地、不透明なポリマー・シート、そして透明なポリマー・シートの少なくとも一つからなる、前記請求項のいずれかによるフード。
【請求項１２】
前記折り畳み可能なフレームがプラスチック材料からなる、前記請求項のいずれかによるフード。
【請求項１３】
前記折り畳み可能なフレームが前記第一の位置にあるときに前記フードが着用者の顔の上方前方へ延びることを可能にし、そして、前記折り畳み可能なフレームが前記第二の位置にあるときに前記フードが着用者の背に対して平らに位置することを可能にするように、前記折り畳み可能なフレームは「Ｌ」形の部材からなる、前記請求項のいずれかによるフード。
【請求項１４】
前記柔軟なフレームが、縫うこと、前記柔軟な皮膜の縫い目への挿入、前記柔軟な皮膜の一部への挿入、接着、フック、圧入、スナップクリップ、そしてばねクリップの少なくとも一つによって前記柔軟な皮膜に取り付けられる、前記請求項のいずれかによるフード。
【請求項１５】
ユーザーの頭を保護するためのフードに用いる折り畳み可能なフレームであって、前記フードが、ユーザーの頭を保護するための柔軟な皮膜を持ち、前記フレームが前記柔軟な皮膜を支持するように作用し、前記フレームが前記柔軟な皮膜を取り付けるための手段からなり、前記折り畳み可能なフレームは、前記折り畳み可能なフレームが、ユーザーの頭の少なくとも一部を囲んでユーザーの頭から離れて位置するように前記柔軟な皮膜を支持する第一の位置へ展開が可能であり、そして、前記折り畳み可能なフレーム及び前記柔軟な皮膜が、前記柔軟な皮膜がユーザーの頭から離れてしまい込まれる第二の位置へ折り畳みが可能なことを特徴とする、折り畳み可能なフレーム。
【請求項１６】
衣服の第一の側の襟の前部近くに取り付ける第一のヒンジと、前記衣服の第二の側の前記襟の前部近くに取り付ける第二のヒンジとからなり、前記折り畳み可能なフレームが、前記第一のヒンジから前記第二のヒンジへ延びてそれらの回りに旋回可能な、一つ以上のフレーム要素からなる、請求項１５による折り畳み可能なフレーム。
【請求項１７】
前記第一の位置と前記第二の位置との間で前記第一及び第二のヒンジの回りに旋回可能な、一つ以上の実質的に堅固なフレーム部材からなる、請求項１５または請求項１６による折り畳み可能なフレーム。
【請求項１８】
前記一つ以上の実質的に堅固なフレーム部材が、二つ以上の実質的に堅固なフレーム部材からなり、第一の実質的に堅固なフレーム部材が前記ヒンジの回りに旋回可能であり、前記第一の実質的に堅固なフレーム部材が、その両側に第一及び第二のピボットに備え、第二の、そして以降の実質的に堅固なフレーム部材が、それらの端部で、前記第一及び第二のピボットの回りに旋回可能に取り付けられる、請求項１７による折り畳み可能なフレーム。
【請求項１９】
一つ以上の実質的に柔軟な部材からなり、前記一つ以上の実質的に柔軟な部材が、それら自体で、前記折り畳み可能なフレームが広がった第一の安定な形状にある第一の位置から、前記折り畳み可能なフレームがそれ自体でループ化した第二の安定な形状をとる第二の位置へ捩れることが可能である、請求項１７による柔軟なフレーム。
【請求項２０】
前記一つ以上の実質的に柔軟なフレーム部材が、二つ以上の実質的に柔軟なフレーム部材からなり、第一の実質的に柔軟なフレーム部材が前記ヒンジの回りに旋回可能であり、前記第一の実質的に柔軟なフレーム部材が、その両側に第一及び第二のピボットを備え、第二の、そして以降の実質的に柔軟なフレーム部材が、それらの端部で、前記第一及び第二のピボットの回りに旋回可能に取り付けられる、請求項１７による折り畳み可能なフレーム。
【請求項２１】
前記第一の位置で、ユーザーが前記衣服を着ているときに前記折り畳み可能なフレームが、ユーザーの頭の頂部、側部及び後部を保護するように前記柔軟な皮膜を支持し、前記第二の位置で、前記折り畳み可能なフレーム及び前記柔軟な皮膜が、前記衣服の裏の前記襟の後に位置する、請求項１５から２０のいずれかによる折り畳み可能なフレーム。
【請求項２２】
前記第一の位置で、前記柔軟な皮膜を広げるように作用し、第二の位置で、前記柔軟な皮膜をたたむように作用する、請求項１５から２１のいずれかによる折り畳み可能なフレーム。
【請求項２３】
取り外し可能に衣服に取り付け可能な、請求項１５から２２のいずれかによる折り畳み可能なフレーム。
【請求項２４】
衣服の、恒久的に一体化した一部として設けられる、請求項１５から２２のいずれかよる折り畳み可能なフレーム。
【請求項２５】
前記柔軟な皮膜が、生地、不透明なポリマー・シート、そして透明なポリマー・シートの少なくとも一つからなる場合に用いる、請求項１５から２４のいずれかよる折り畳み可能なフレーム。
【請求項２６】
プラスチック材料からなる、請求項１５から２５のいずれかによる折り畳み可能なフレーム。
【請求項２７】
前記折り畳み可能なフレームが前記第一の位置にあるときに前記フードが着用者の顔の上方前方へ延びることを可能にし、そして前記折り畳み可能なフレームが前記第二の位置にあるときに前記フードが着用者の背中に対して平らになることを可能にする「Ｌ」形部材からなる、請求項１５から２６のいずれかによる折り畳み可能なフレーム。
【請求項２８】
縫うこと、柔軟な皮膜の縫い目への挿入、柔軟な皮膜の一部への挿入、接着、フック、圧入、スナップクリップ、そしてばねクリップの少なくとも一つによって前記柔軟な皮膜に取り付け可能な、請求項１５から２７のいずれかによる折り畳み可能なフレーム。
【発明の詳細な説明】
【技術分野】
【０００１】
本発明は、ユーザーが頭上にかぶるフードに関する。本発明は、特に、衣服に取り付けられた、あるいは一体化したフードに関する。さらに、本発明は、個人が、スタイル整髪が乱れることを避けるために、あるいは他の理由で使用するためのフードに関する。
【背景技術】
【０００２】
雨中で濡れないための現在の手段には問題がある。傘は、片手で保持しなければならない。傘は、また、ユーザーにとって障害であり、ユーザーの展望を妨げるため、雨の混雑した通りでは、ユーザー及び他者の両方を危険にさらすことになる。傘は、例えばスタジアムで、コンサートまたはスポーツ・イベント等の公開イベントで、他者の視界を妨げる。現在のレイン・フードは、風の中で吹き飛ばされる傾向があり、少なくとも片手で押さえる必要がある。本発明の目的は、髪または頭を乾いた状態に保つための手段を提供することである。それは、髪または頭を乱さず、または触れず、両手を自由にし、その手を、プッシュチェアを押す、あるいはアイテムを運ぶことに用いることを可能にし、また、ユーザーの視界を妨げず、他者の視界への障害にもならないものである。
【０００３】
ヘアスタイルは、複雑で料金が高額であるため、個人が、特に屋外で、ヘアスタイルの乱れを避けるために細心の注意を払うほどである。これは普段の生活においても然りであるが、屋外の映画撮影、テレビ放送またはビデオ録画のために、俳優あるいは解説者が、メーキャップの専門家によって高額な費用で「整えられる」、映画やテレビ等の映像芸術の社会では特にそうである。
【０００４】
他の人々は、医療の状況、あるいは歯の状態から、例えば、再建手術を支持するためのギプスを頭蓋に取り付けられているために、外の天気からの保護を必要とする場合がある。
【発明の開示】
【課題を解決するための手段】
【０００５】
このような状況では、帽子または普通のフードはほとんど役に立たない。これらは、ユーザーの頭蓋に被さり、ヘアスタイルあるいはメーキャップを乱す、または医療器具あるいは歯科器具を妨げて乱すからである。本発明の目的は、個人が、保護装置とユーザーの頭との間の直接的接触なしに、風や天気からの保護を得ることができる手段を提供することである。
【０００６】
本発明の第一の局面によれば、ユーザーの頭を保護するためのフードが提供される。このフードは、ユーザーの頭を天気から保護するための柔軟な皮膜、そして、この柔軟な皮膜を支持するように作用する折り畳み可能なフレームからなる。柔軟な皮膜は、折り畳み可能なフレームに取り付けられ、折り畳み可能なフレームは、折り畳み可能なフレームが、ユーザーの頭の少なくとも一部を囲んでユーザーの頭から離れて位置するように柔軟な皮膜を支持する第一の位置への展開が可能であり、また、柔軟な皮膜がユーザーの頭から離れて、折り畳み可能なフレームと柔軟な皮膜とがしまい込まれる第二の位置への折り畳みが可能である。
【０００７】
本発明の第二の局面によれば、フードのためのフレームが提供される。このフレームは、衣服に結合することができ、本発明の第一の局面の一部としての使用にふさわしい。
【０００８】
本発明の第二の局面によれば、さらに、フレームは、衣服に固定する、挿入する、あるいは縫い込むことが可能である。
【０００９】
本発明の第二の局面によれば、さらに、フレームは、縫うこと、フード生地の縫い目への挿入、フード生地の一部への挿入、接着、そしてクリッピングの、少なくとも一つによってフードの生地に挿入することができる。
【００１０】
本発明の第二の局面は、さらに、フレームが一つ以上の堅固な部材からなることを提供する。
【００１１】
本発明の第二の局面は、さらに、フレームが一つ以上の柔軟な部材からなることを提供する。
【００１２】
本発明の第二の局面は、さらに、フレームがクリップで取り外し可能であることを提供する。
【００１３】
本発明の第二の局面は、さらに、フレームがヒンジによって折れる、あるいは曲げによってたためることを提供する。
【００１４】
本発明の第二の局面は、さらに、フレームが製造過程で衣服内へ挿入できること、または、別のアイテムとして衣服へ取り付けることができることを提供する。
【００１５】
本発明の第二の局面は、さらに、フレームが「Ｌ」形部材からなることを提供する。フレームが「Ｌ」形部材であれば、フードの使用中、フードは、着用者の顔の上方前方へ延びることが可能であり、フードが使用中でない場合、フードは、着用者の背中に対して平らになることが可能である。
【００１６】
本発明の第一および第二の局面は、さらに、折り畳み可能なフレームが、衣服の第一の側の襟の前部近くに取り付けるための第一のヒンジと、衣服の第二の側の襟の前部近くに取り付けるための第二のヒンジとからなるフードを提供する。この場合、折り畳み可能なフレームは、一つ以上のフレーム要素からなり、第一のヒンジから第二のヒンジへ延び、それらの回りに旋回可能である。
【００１７】
本発明の第一および第二の局面は、さらに、折り畳み可能なフレームが一つ以上の実質的に堅固なフレーム部材からなるフードを提供する。この場合、一つ以上の実質的に堅固なフレーム部材は、第一の位置と第二の位置との間で、第一および第二のヒンジの回りに旋回可能である。
【００１８】
本発明の第一および第二の局面は、さらに、一つ以上の実質的に堅固なフレーム部材が二つ以上の実質的に堅固なフレーム部材からなることを提供する。この場合、第一の実質的に堅固なフレーム部材はヒンジの回りに旋回可能であり、第一の実質的に堅固なフレーム部材は、その両側に第一および第二のピボットを備え、第二の、そして以降の実質的に堅固なフレーム部材は、それらの端部で、第一および第二のピボットの回りに旋回可能に取り付けられる。
【００１９】
本発明の第一および第二の局面は、さらに、折り畳み可能なフレームが一つ以上の実質的に柔軟な部材からなるフードを提供する。この場合、一つ以上の実質的に柔軟な部材は、それら自体で、折り畳み可能なフレームが広がった第一の安定な形状にある第一の位置から、折り畳み可能なフレームがそれ自体でループ化した第二の安定な形状をとる第二の位置へ捩れることが可能である。
【００２０】
本発明の第一および第二の局面は、さらに、一つ以上の実質的に柔軟なフレーム部材が二つ以上の実質的に柔軟なフレーム部材からなることを提供する。この場合、第一の実質的に柔軟なフレーム部材はヒンジの回りに旋回可能であり、第一の実質的に柔軟なフレーム部材は、その両側に第一及び第二のピボットを備え、第二の、そして以降の実質的に柔軟なフレーム部材は、それらの端部で、第一および第二のピボットの回りに旋回可能に取り付けられる。
【００２１】
本発明の第一および第二の局面は、さらに、第一の位置で、ユーザーが衣服を着ている場合に折り畳み可能なフレームが、ユーザーの頭の頂部、側部及び後部を保護するように柔軟な皮膜を支持し、そして、第二の位置で、折り畳み可能なフレーム及び柔軟な皮膜が、衣服の裏の襟の後に位置するフードを提供する。
【００２２】
本発明の第一および第二の局面は、さらに、折り畳み可能なフレームが、第一の位置で柔軟な皮膜を広げ、第二の位置で柔軟な皮膜をたたむフードを提供する。
【００２３】
本発明の第一および第二の局面は、さらに、衣服に取り外し可能に取り付け可能なフード、あるいは衣服に一体化したフードを提供する。
【００２４】
本発明の第一および第二の局面は、さらに、柔軟な皮膜が透明なフード、あるいは柔軟な皮膜が生地であるフードを提供する。
【００２５】
本発明の第一および第二の局面は、さらに、折り畳み可能なフレームがプラスチック材料からなるフードを提供する。
【発明を実施するための最良の形態】
【００２６】
本発明を、以下の実施例によって、さらに説明する。その説明文は、添付の図面を参照にしながら読むものである。
【００２７】
まず、本発明の第一の実施例の側面図である図１に注目する。フード１０は、このケースでは透明あるいは半透明のポリマー・シートである皮膜１２からなる。皮膜１２は、同様に、生地、または他の柔軟な防水膜から形成されることが好ましい。
【００２８】
剛性フレーム１４は、主部材１６と、この例では二つの副部材１８とからなる。一組のヒンジ２０が、衣服２４の襟２２の両側に一つずつ設けられている。主部材１６は、円弧状で、各端部がヒンジ２０の各々に取り付けられている。主部材１６は、矢印２６が示すように、ヒンジ２０の回りに回転可能である。
【００２９】
主部材１６は、一対のピボット２８からなり、それらの間に、副部材１８の各々が取り付けられている。副部材１８は、矢印３０が示すように、ピボット２８の回りを回転可能である。
【００３０】
主部材１６及び副部材１８は、皮膜１２上の対応位置に取り付けられており、主部材１６及び副部材１８が、図１に示す位置へ移動されると、皮膜１２も、ユーザーの頭の頂部、側部及び後部を保護する拡張位置を占めるように移動する。
【００３１】
フード１０を、図１に第一の位置で示す。これは、フードが使用中である第一の正立位置である。
【００３２】
図２は、正面から見た、正立位置にある図１のフードを示す。図３は、図１及び図２に示す、正立位置にあるフード１０の前面斜視図である。
【００３３】
正立位置にある主部材１６、副部材１８及び皮膜１２は、ユーザーの頭から少し離れた状態に維持されるため、ヘアスタイルまたは頭へのアタッチメントが少しも、主部材１６、副部材１８または皮膜１２によって乱されることはない。
【００３４】
次に、図１、図２及び図３に示す第一の実施例に使用するヒンジ２０の、メカニズムの詳細を示す図４に注目する。
【００３５】
ヒンジ２０は、位置決めスリーブ３４に部分的に囲まれたセンター３２の回りに回転するよう、主部材１６をその遠位端で支持する。主部材１６は、矢印３６が示すように、センター３２の回りに移動する。正立位置において、図１、図２及び図３に示すように、主部材１６の遠位端は、断面視でかなり円形な位置決めスリーブ３４内で、位置決め溝３８内へ付勢されている。位置決め溝３８は、主部材１６を正立位置に保持し、ピボット２８は、副部材１８が取り付けられた皮膜１２が引く位置への、副部材１８の移動を支持する。図５は、図１、図２、図３及び図４に示すヒンジ２０の詳細な拡大図である。
【００３６】
ヒンジ２０は、衣服２４の襟２２に金属スタッド４０で固定される。主部材１６は、ばね４２によって位置決め溝３８の方へ付勢され、フード１０が、図１、図２及び図３に示す正立位置に来ると、そこに入る。フード１０をたたむには、ばね４２を圧縮するよう、主部材１６を単に付勢すれば、主部材は、位置決めスリーブ３４の範囲内で、（この後に説明する）降下位置の方へ回転できる。
【００３７】
ヒンジ２０は、衣服２４の襟２２に、スタッド４０で取り外せないように取り付けられるように示されている。フード１０は、同等に、例えば、一つ以上のボタン、フックまたはホック付け合わせ等の、襟２２に取り外し可能な、そして再付着可能な手段で取り付けることができ、また、スタッド４０は、同等に、他の耐久性のある堅い、あるいは半硬質の材料から作ることもできる。
【００３８】
図６は、図１、図２及び図３に示すフード１０を降下位置４４に示す。主部材１６が、矢印４６が示すように降下位置４４に回転し、皮膜１２は、たたまれた状態で、衣服２４の背４８に対して位置する。主部材１６は、実質的に「Ｌ」形なので、降下位置で、それ自体と副部材とが、着用者の背中と実質的に同一平面になる。
【００３９】
さて、本発明の第二の実施例の側面図である図７に注目する。
【００４０】
第一の部材５０は、第二の部材５２に対して一対のピボット２８によって回転する。第一の部材５０及び第二の部材５２は、二つの相互にかみ合うフープに似ている。第二の部材５２は、衣服２４の襟２２上のヒンジ５４に保持されている。ヒンジ５０は、例えば図４及び図５に示すヒンジ２０のような、複雑なヒンジでも、または非常に単純なものでもよい。図７に、フード１０’は正立位置で示されている。正立位置で、第一の部材５０と第二の部材５２とは、協調して、皮膜１２がユーザーの頭から離れるように配置して支持し、ユーザーの頭の頂部、側部及び後部を保護する。
【００４１】
図８は、図７のフード１０’が降下位置にある側面図である。第一の部材５０と第二の部材５２は、実質的に相互に整列して衣服２４の背４８に寄りかかり、皮膜１２が非拡張状態にある。図７及び図８の第一の部材５０及び第二の部材５２は、堅い、あるいは柔軟な材料で実現することができる。柔軟な材料が好ましいが、柔軟な材料で実現した場合、さらに、図９に示すような有用性が明らかになる。
【００４２】
図９は、フードが降下位置にある場合に、図８の折られたフード及びフレームが、折り重ねた位置にどのように曲がるのかを示している。フレーム１４’は、堅くなく、弾力性の柔軟な材料から作られている。適当な材料の例としては、プラスチック・ストリップ、ばね鋼などがある。材料を、矢印６０及び６２で例示するようにねじって、三つの平らな実質的に同心円のループ５６をつくる。折ったフードとフレームを、それから、衣服２４の後ろにあるジッパー・ポケット５８、またはそのような他のカバー内へ包装することができる。
【００４３】
図１０は、本発明の第三の実施例の前面斜視図である。これは、衣服２４の襟２２の両側にクリップ６６で保持した単一フレーム６４のみを持つ。
【００４４】
図１０では、実質的に「Ｌ」形の単一フレーム６４が正立位置で示されている。単一フレーム６４は、クリップ６６上に保持した長い材料である。正立位置において、フレーム部材の両端は、衣服２４の襟２２の両側のポイントに付勢されて、クリップ６６で保持されている。
【００４５】
図１１は、図１０に示す本発明の第三の実施例の側面斜視図である。フード１０は正立位置にある。皮膜１２は、単一支持フレーム６４でダクトのように張られ、襟２２の外側に隣接して位置する。その大きさは、頭、髪型または他の頭部の装いに圧力を加えることなく、着用者の頭を包む。
【００４６】
図１２は、図１０及び図１１に示す本発明の第三の実施例の、降下位置にあるフード１０の側面図である。実質的に「Ｌ」形の単一支持フレーム６４は、フードが、降下位置で、着用者の背中と実質的に同一平面になることを可能にする。柔軟な材料で形成すれば、単一支持フレームは、図９に概略的に示すように、さらに小型に折ることができる。
【００４７】
ここまでフード１０は、基本的に、衣服２４に一体化した形状で示された。剛性フレーム・フード１０及び柔軟なフレーム・フード１０は、実質的にどのような衣服にも取り付けが可能で、不必要な場合に衣服から分離可能な独立したアイテムとして製造し、販売することができる。
【００４８】
これを可能にするために、衣服２４の襟２２にとめ、矢印７０が示すように開閉する、ばねクリップ６８を示す図１３に注目する。ばねクリップ６８は、ばねクリップ６８に取り付けたフード１０、１０’及び１０”のフレームが、矢印７４が示すように自由に旋回可能な、スタッド・アタッチメント７２からなる。
【００４９】
評価すべきことは、ばねクリップは、そのスタッド・アタッチメント７２を介して、本発明に接続する如何なるスタイルのフレームのどの部分にも取り付けが可能なことである。
【００５０】
最後に、図１４に注目する。図１に示すものと同様な、分離可能なフード１０は、矢印７６が示すように、最小三つのばねクリップ６８で、衣服２４に取り付けることができることを示す。ばねクリップ６８を、各々、衣服２４の襟２２の両側に設け、そしてもう一つのばねクリップ６８を、衣服２４の襟２２の後部に設ける。それから、ばねクリップ６８の各々にスタッド・アタッチメント７２を固定することによって、フード１０を衣服２４に取り付ける。不必要になったら、フード１０とクリップ６８を取り外す。
【００５１】
ばねクリップ６８がフード１０と一体化していて、フード１０はユニットとして、衣服２４および／または襟２２にとめることができることは、本発明の範囲内にある。
【００５２】
柔軟な皮膜１２を、フレーム１４に恒久的に取り付けたものとして示したが、柔軟な皮膜１２はフレーム１４よりも短命であることは明らかである。したがって、柔軟な皮膜は取り替えることができ、フレーム１４は、縫うこと、柔軟な皮膜の縫い目への挿入、柔軟な皮膜の一部への挿入、接着すること、フック、圧入、スナップクリップ、そしてばねクリップによって柔軟な皮膜１２に取り付けることができる。
【００５３】
本発明は、二つの部品として提供することができる。第一の部品は、フレーム１４と、それを取り入れた衣服２４からなり、第二の部品は柔軟な皮膜１２からなる。
【図面の簡単な説明】
【００５４】
【図１】本発明の第一の実施例の側面図である。フードは正立位置にあり、フレームが衣服にヒンジ・メカニズムで取り付けられている。
【図２】本発明の第一の実施例、すなわち図１に示す正立位置にあるフードの正面図である。
【図３】図１及び２に示す、本発明の第一の実施例の、フードが正立位置にある前面斜視図である。
【図４】図１、図２及び図３に示す、本発明の第一の実施例で使用するヒンジ・メカニズムの詳細を示す。
【図５】本発明の第一の実施例で使用する、図４に示すヒンジの詳細な拡大図である。
【図６】本発明の第一の実施例の側面図であり、フードが降下位置にある。
【図７】本発明の第二の実施例の側面図である。フードが正立位置にあり、フレームは、相互に対してヒンジ式の、二つの柔軟なフープからなり、それらの一つが衣服にヒンジ式で取り付けられることが好ましい。
【図８】本発明の第二の実施例の側面図である。フードが降下位置にあり、フレーム及びフードの生地がどのように着用者の背中に寄りかかるのかを表す。
【図９】フードが必要でない場合に、図８に示すフード及びフレームが、柔軟なフレームを曲げて折り重ねることによって、パウチ内に入れ、カバーすることが可能なことを示す。
【図１０】本発明の第三の実施例の前面斜視図である。フードは、クリップで衣服の襟の両側に係止された単一フレームで支えられている。
【図１１】図１０に示す本発明の第三の実施例の、正立位置にある側面斜視図である。
【図１２】本発明の第三の実施例の側面図であり、フードは降下位置にある。
【図１３】フードの取り付けの備えがない衣服へ、取り外し可能なフードを取り付けるためのアタッチメントの側面図である。
【図１４】前面斜視図であり、フードを衣服に、アタッチメントを用いて固定する方法を示す。
【図１】
2006527311.tif 000003
【図２】
2006527311.tif 000004
【図３】
2006527311.tif 000005
【図４】
2006527311.tif 000006
【図５】
2006527311.tif 000007
【図６】
2006527311.tif 000008
【図７】
2006527311.tif 000009
【図８】
2006527311.tif 000010
【図９】
2006527311.tif 000011
【図１０】
2006527311.tif 000012
【図１１】
2006527311.tif 000013
【図１２】
2006527311.tif 000014
【図１３】
2006527311.tif 000015
【図１４】
2006527311.tif 000016
【国際調査報告】
2006527311.tif 000017
2006527311.tif 000018
2006527311.tif 000019